(57)【要約】      （修正有）【課題】長時間装着しても疲労感やストレスを与えることなく、花粉、ハウスダスト、ダニ等のアレルゲンを有効に除去する衛生用マスクを提供する。【解決手段】空気中に浮遊する物質を濾過するマスク本体部１１と、前記マスク本体部の上側に取り付けられ、使用者の鼻柱に当接するように形成された鼻当て部１２と、前記マスク本体部の下側に取り付けられ、使用者の下顎部に当接するように形成された顎当て部１３と、前記マスク本体部の両サイドから伸延し、前記マスク本体部を使用者の鼻腔及び口腔部に押し付けるように使用者の首後方又は後頭部において相互に結合される懸架手段１４とを備え、前記鼻当て部と前記顎当て部は、形状記憶部材により形成される。【選択図】図１
0003133632.tif 000002
【実用新案登録請求の範囲】
【請求項１】
室内において長時間に亘って装着使用されるための衛生用マスクであって、
空気中に浮遊する物質を濾過するマスク本体部と、
前記マスク本体部の上側に取り付けられ、使用者の鼻柱に当接するように形成された鼻当て部と、
前記マスク本体部の下側に取り付けられ、使用者の下顎部に当接するように形成された顎当て部と、
前記マスク本体部の両サイドから伸延し、前記マスク本体部を使用者の鼻腔及び口腔部に押し付けるように使用者の首後方又は後頭部において相互に結合される懸架手段と、を備え、
前記鼻当て部と前記顎当て部は、形状記憶部材により形成されたことを特徴とする衛生用マスク。
【請求項２】
前記形状記憶部材は、形状記憶合金又は形状記憶プラスティックであることを特徴とする請求項１に記載の衛生用マスク。
【請求項３】
前記マスク本体部は、空気中又は使用者の吐息に含まれる水分を保持するための保湿剤を含むことを特徴とする請求項１又は２に記載の衛生用マスク。
【請求項４】
前記マスク本体部は、その中央部に光触媒物質が被膜されたフィルタ部を有することを特徴とする請求項３に記載の衛生用マスク。
【請求項５】
前記光触媒物質は、前記フィルタ部を構成する不織布又はガーゼ等の織布の上に二酸化チタンの薄膜が形成され、当該二酸化チタンの薄膜にはアパタイトが付着されたことを特徴とする請求項４に記載の衛生用マスク。
【請求項６】
前記フィルタ部には、さらに、精神を安定させる作用を有する芳香剤が含浸されていることを特徴とする請求項４又は５に記載の衛生用マスク。
【請求項７】
前記芳香剤には、ラベンダー、ミント又はカモミールから抽出されたエキスが含まれることを特徴とする請求項６に記載の衛生用マスク。
【考案の詳細な説明】
【技術分野】
【０００１】
本考案は、衛生用マスクに関し、特に、室内において長時間使用される室内装着用又睡眠時装着用の衛生用マスクに関する。
【背景技術】
【０００２】
空気中には、自動車や工場から排出される有害物質を含む粒子状の物質の他、杉やヒノキ等の樹木又は草木から飛散する花粉、中国大陸から飛来する黄砂等の種々の物質が含まれている。
【０００３】
空気中に含まれるこのような物質は、物質自体が生体に与える健康への影響に加えて、生体の免疫機能と作用してアレルギー反応を引き起こし、近年においては、年毎にアレルギー患者の数が増大している。
【０００４】
また、一般家庭の屋内においても、外から侵入する上記の大気汚染物質の他、喘息やアレルギーを引き起こすダニ、埃（ハウスダスト）に加えて、近年は、家屋の気密性が向上したことから、ある種のカビや細菌、建材に使用されるホルマリン等の物質によって引き起こされるハウスシック症候群も深刻な状態である。
【０００５】
このような屋内の空気汚染の状況に対して、最も簡便で有効な対応策は、衛生用マスクを屋内においても装着して空気中に浮遊する異物を体内に侵入させないことである。このために、従来から種々の衛生用マスクが使用されてきており、その一つとして、殺菌作用を有する光触媒粒子と当該光触媒の機能を長時間に亘って保持させるための活性剤や消毒剤を含浸させたフィルタ及び衛生用品（マスク）が提案されている（例えば、特許文献１を参照。）。
【特許文献１】特開２００５−２２４６９０号公報
【考案の開示】
【考案が解決しようとする課題】
【０００６】
しかし、このような従来のマスクは、長時間に亘って装着すると耳の裏側が痛くなり使用者に疲労感やストレスを与えるものであった。このため、従来においてはマスクを室内において長時間に亘って装着したり又は睡眠時に装着することは困難であり苦痛を伴うものであった。
【０００７】
また、従来のマスクは、装着するマスクと使用者の鼻や口との隙間から濾過されない空気が多く吸い込まれるので空気中の異物が体内（気管や肺）に侵入してしまい、マスク装着の効果が半減していたのである。
【０００８】
また、特許文献１に記載のフィルタ及び衛生用品は、光に照射されることによってのみ殺菌作用を奏する光触媒粒子を使用していることから、光触媒粒子の活性を補完するために、過ホウ酸塩、炭酸塩又はメタケイ酸から成る活性剤と有機水銀化合物、ヨウ素、ポピドンヨード又はアクリノール等の消毒剤をフィルタ内に含侵させておく必要性があったのである。
【０００９】
本考案は、このような従来の衛生用マスクの課題に鑑みて考案されたものであって、使用者が室内において長時間に亘って装着しても疲労感やストレスを与えることなく、睡眠時に装着しても安眠を妨げることがなく、さらには、花粉、ハウスダスト、ダニ等のアレルゲンを有効に除去し、フィルタに必ずしも活性剤や消毒薬を含有させることなく細菌やカビを長時間に亘って安定的に分解することができる衛生用マスクを提供することを目的とする。
【課題を解決するための手段】
【００１０】
このため、本考案は、室内において長時間に亘って装着使用されるための衛生用マスクであって、空気中に浮遊する物質を濾過するマスク本体部と、前記マスク本体部の上側に取り付けられ、使用者の鼻柱に当接するように形成された鼻当て部と、前記マスク本体部の下側に取り付けられ、使用者の下顎部に当接するように形成された顎当て部と、前記マスク本体部の両サイドから伸延し、前記マスク本体部を使用者の鼻腔及び口腔部に押し付けるように使用者の首後方又は後頭部において相互に結合される懸架手段と、を備え、前記鼻当て部と前記顎当て部は、形状記憶部材により形成されたことを特徴とする衛生用マスクを提供するものである。ここで、前記形状記憶部材は、形状記憶合金又は形状記憶プラスティックである。これによって、本衛生用マスクは、使用者の鼻柱や下顎の形状にぴったりと密着するので、鼻や口元の隙間から濾過されない空気が体内に吸い込まれることがなく、アレルゲンの吸入を阻止できるのである。
【００１１】
そして、前記マスク本体部は、空気中又は使用者の吐息に含まれる水分を保持するための保湿剤を含み、前記マスク本体部は、その中央部に光触媒物質が被膜されたフィルタ部を有する。そして、前記光触媒物質は、前記フィルタ部を構成する不織布又はガーゼ等の織布の上に二酸化チタンの薄膜が形成され、当該二酸化チタンの薄膜にはアパタイトが付着されているので、本衛生用マスクは、例えば長時間の睡眠時などに必ずしも光が照射されなくとも、カビや細菌等の有害物質はアパタイトに吸着され、このような有害物質の体内への吸入を排除しているのである。
【００１２】
また、本衛生用マスクのフィルタ部には、精神を安定させる作用を有する芳香剤が含浸されているので、安眠を誘引することができるのである。ここで、前記芳香剤は、ラベンダー、ミント又はカモミールから抽出されたエキスである。
【考案の効果】
【００１３】
上記したように、本考案に係る衛生用マスクにおいては、マスク本体部を使用者の鼻腔及び口腔部に押し付けるように使用者の首後方又は後頭部において相互に結合される懸架手段を使用しているので耳が痛くならないので、使用者が室内において長時間に亘って装着しても疲労感やストレスを感じない。また、睡眠時に装着しても安眠を妨げることがない。そして、鼻当て部と顎当て部が形状記憶部材により形成され、使用者の鼻柱や下顎の形状にぴったりと密着するので、鼻や口元の隙間から濾過されない空気が体内に吸い込まれることがなく、アレルゲンの体内への吸入を有効に阻止できるのである。
【００１４】
さらに、本衛生用マスクのマスク本体部のフィルタには、光触媒物質が被膜され、この光触媒物質はフィルタ部の不織布又はガーゼ等の織布の上には二酸化チタンの薄膜が形成され、当該二酸化チタンの薄膜にはアパタイトが付着されているので、長時間の睡眠時などに必ずしも光が照射されなくとも、カビや細菌等の有害物質はアパタイトに吸着され、このような有害物質の体内への吸入を排除しているのである。
【考案を実施するための最良の形態】
【００１５】
以下、本考案に係る衛生用マスクの最良の実施形態について、図面を参照して詳細に説明する。
【００１６】
図１は、本考案の最良の実施形態に係る室内用衛生用マスクの全体構成を示すものである。
図１において、本室内用衛生用マスク１は、塵、埃、花粉等の空気中に浮遊する物質を濾過する機能を備え、マスクの本体部をなすマスク本体部１１と、使用者の鼻柱に当接してマスクを安定させる鼻当て部１２と、使用者の顎に当接してマスクを安定させる顎当て部１３と、懸け紐１４（懸架手段）と、を具備する。
【００１７】
マスク本体部１１には、使用者の口元に対面する箇所で吸気性を向上させるフィルタ部１１Ａを有し、左右の懸け紐１４の末端部には両方の懸け紐１４を使用者の首後方又は後頭部で当接するための当接部１４Ａ，１４Ｂが取り付けられている。
【００１８】
マスク本体部１１は、例えば、光触媒、芳香剤、保湿剤等で構成されている。光触媒は、光が照射された時の酸化還元作用により大気汚染物質の分子を分解したり、細菌やウィルスを死滅させるためのものであり、その素材としては、例えば、二酸化チタン、酸化亜鉛、酸化バナジウム、三酸化二ビスマス、三酸化タングステン、酸化鉄、チタン酸ストロンチウム、硫化カドミウム等を使用することができる。この内、最も好適に使用できるのは結晶性の二酸化チタンであり、これにはアナターゼ型、ルチル型、プルッカイト型などが使用可能であるが、光触媒作用が最も高いのはアナターゼ型またはルチル型である。
【００１９】
このように、本衛生用マスク１のフィルタ部１１Ａを構成する不織布又はガーゼ等の織布の上には光触媒物質として二酸化チタンの薄膜が形成されている。そして、本衛生用マスク１において特に重要な点は、この二酸化チタンの薄膜にアパタイトが付着されていることにある。従来の衛生用マスクに使用されていた二酸化チタンのみでは、光が当らないと抗菌作用を生じず、また、菌が接触しないと効果が生じない。
【００２０】
しかし、アパタイトを複合化した材料では、遮光状態でも細菌やカビ等の有害物質は、アパタイト上に吸収されるので、本衛生用マスクは、例えば長時間の睡眠時などに必ずしも光が照射されなくとも、カビや細菌等の有害物質はこのアパタイトに吸着され、このような有害物質の体内への吸入を排除しているのである。そして、朝目覚めた時に本衛生マスク１を外して光が当ることによって、このアパタイトに吸着されたカビや細菌等の有害物質は、光触媒物質の二酸化チタンの光触媒作用として死滅又は分解されるのである。
【００２１】
芳香剤は、室内用衛生用マスク１を装着した使用者に、清々しさと心地良さとを感じさせるためのものであり、その素材としては、例えば、ミント、ラベンダー、カモミール等のエキスを使用することができる。このように、本衛生用マスクは、精神を安定させる作用を有する芳香剤が含浸されているので、安眠を誘引することができるのである。
【００２２】
保湿剤は、呼吸によって体内から吐き出される湿気や空気中の水分を利用してマスク本体部１１のフィルタ部を保水するためのものである。その素材としては、例えば、吸水性ポリマー、ヒアルロン酸、ケルザン酸等を使用することができる。マスク本体部１１に与えられる湿気又は水分は、光触媒物質である二酸化チタンと接触することにより、過酸化水素が発生し、細菌やカビを死滅させ分解させるのである。
【００２３】
保持袋は、マスク本体部１１の外殻として、前述の光触媒、芳香剤及び保湿剤を担持するためのものであり、よって、具体的には包含関係を有する１つ以上の袋で構成され、各袋の内部には内袋ばかりではなく、内布を包むことも可能であり、この内袋または内布に、前述の光触媒、芳香剤及び保湿剤等を挟み込むか、または浸潤させることができる。保持袋を構成する素材としては、不織布、ガーゼ等の織布、編み布、布巾、天然絹、人絹、等の吸気性（通気性）が良好な素材を使用することができる。フィルタ部１１Ａを構成する素材には、特に通気性が良好なものを使用し、空気抵抗を減らすために素材の厚みを薄くすることが望ましい。
【００２４】
鼻当て部１２及び顎当て部１３は、室内用衛生用マスク１を、使用者の口元で安定させるためのものであり、その素材としては、形状記憶合金を使用することができる。鼻当て部１２及び顎当て部１３は、当初は室温において標準的な使用者の顔部のサイズと形状に適合するように形成されているが、鼻当て部１２及び顎当て部１３が、使用者の体温に上昇した時に、当該使用者の顔部のサイズと形状に最も適合して安定するように形状加工されるものとする。
【００２５】
当接部１４Ａ，１４Ｂは、室内用衛生用マスク１の左右の懸け紐１４を、使用者の首後方又は後頭部で当接するためのものであり、例えば、雌雄のホックや、着脱可能な当接機能を有する布によって構成することができる。この当接部１４Ａ，１４Ｂは省略して、左右の懸け紐１４を、使用者の首後方又は後頭部で、単に結わえるように構成しても良い。鼻当て部１２は、室内用衛生用マスク１に固定されており、使用者の鼻柱を挟むようにして上から押さえて室内用衛生用マスク１を支えるが、形状記憶合金の作用により、平均的な体温、若しくは使用者の体温で、使用者の鼻柱を最も的確に挟むことができるように加工されている。
【００２６】
顎当て部１３は、室内用衛生用マスク１に固定されており、使用者の下顎先端をカバーし、垂直部の下部先端から水平方向への折り返しを有して、使用者の下顎部を下から押し上げて室内用衛生用マスク１を使用者の鼻孔及び口腔部に当接させるが、この折り返し角度は、形状記憶合金の作用により、平均的な体温、若しくは使用者の体温に上昇するに連れて、使用者の下顎先端を最も的確にカバーするように加工されている。
【００２７】
懸架手段としての懸け紐１４は、使用者の首後方又は後頭部に引き回して室内用衛生用マスク１を懸架するためのものであり、その構成素材は、可塑性及び／又は弾力性を有するものとし、例えば、布やナイロン等を使用することができる。その形状は、紐状やテープ状とすることができる。
【００２８】
図２は、本衛生用マスクを装着する際の使用者の顔正面部を示す。
図２において、室内用衛生用マスクを装着する途中図であるので、左右の懸け紐１４は、未だ使用者（ここでは使用者１０）の首後方又は後頭部に回わされてはいない。この後、左右の懸け紐１４は、当接部１４Ａ，１４Ｂによって、使用者１０の首後方又は後頭部に回されて結合される。当接部１４Ａ，１４Ｂを有さない構成の場合は、使用者１０の首後方又は後頭部において相互に結ばれる。
【００２９】
図３は、本衛生用マスクを装着する際の使用者の顔側面部を示す。
図３において、鼻当て部１２は、使用者１０の鼻柱を上方から挟むようにして当接する。また、顎当て部１３は、使用者１０の顎先を押し上げるようにして当接する。
【００３０】
この後、鼻当て部１２及び顎当て部１３を構成する形状記憶合金の温度が使用者１０の体温に近づくに伴い、マスク１は使用者１０の顔部の体形及びサイズに適合して行き、マスク１は使用者１０の顔部に好適に適合する。
【００３１】
なお、図３には示されていないが、左右の懸け紐１４は、使用者１０の首後方又は後頭部に回わされて、当接部１４Ａ，１４Ｂによって、互いに結合されるか結ばれる。これによって、使用者は、従来のマスクのように耳の裏側が痛くならず、違和感やストレス等を感じることがないので長時間装着することができるのである。また、睡眠時において、例えば寝返りを打ったり頭を動かして本衛生用マスクが枕や布団等の寝具に触ったり接触しても、装着が外れないのである。
【産業上の利用可能性】
【００３２】
本考案は、使用者が室内において長時間に亘って装着しても疲労感やストレスを与えることなく、睡眠時に装着しても安眠を妨げることがなく、さらには、花粉、ハウスダスト、ダニ等のアレルゲンを有効に除去し、フィルタに必ずしも活性剤や消毒薬を含有させることなく細菌やカビを長時間に亘って安定的に分解することができる衛生用マスクに関するものであり、産業上の利用可能性を有する。
【図面の簡単な説明】
【００３３】
【図１】本考案に係る衛生用マスクの全体構成を示す。
【図２】本衛生用マスクを装着する際の使用者の顔正面部を示す。
【図３】本衛生用マスクを装着した際の使用者の顔側面部を示す。
【符号の説明】
【００３４】
１：本衛生用マスク
１０：使用者
１１：マスク本体部
１２：鼻当て部
１３：顎当て部
１４：懸け紐（懸架手段）
１１Ａ：フィルタ部
１４Ａ，１４Ｂ：懸架手段の当接部
【図１】
0003133632.tif 000003
【図２】
0003133632.tif 000004
【図３】
0003133632.tif 000005